(57)【要約】【課題】場所をさほど必要とせず、感じよく、安定して、りん棒を載置できるりんの提供を目的とする。【解決手段】上方に向けた開口部を有する略椀状のりん本体の前記開口部の周縁の上面端部に、りん棒を横方向に載置できるくぼみを有することを特徴とする。【選択図】  図１
0003165017.tif 000002
【実用新案登録請求の範囲】
【請求項１】
上方に向けた開口部を有する略椀状のりん本体の前記開口部の周縁の上面端部に、りん棒を横方向に載置できるくぼみを有することを特徴とするりん。
【請求項２】
前記くぼみの深さＤをりん本体の外側底部から上面端部までの高さＨに対して、２％〜２０％の範囲に設定し、前記くぼみの幅Ｗを０．５×Ｄ≦Ｗ≦２×Ｄの範囲に設定したことを特徴とする請求項１記載のりん。
【請求項３】
載置したりん棒の両側にくぼみが位置するように前記くぼみを複数配置したことを特徴とする請求項１または２記載のりん。
【考案の詳細な説明】
【技術分野】
【０００１】
本考案は通常棒状のりん棒などで打鈴して、音を出す、お椀状のりんに関する。
【背景技術】
【０００２】
りんは仏壇、祭壇、お墓、あるいは卓上などに設置され、りん棒と呼ばれるもので叩いて音をだすものであり、一般的なりん棒は断面が丸い棒状であり転がりやすい。
りんは、りん棒で叩くことで音をだす構成上、りん棒が不可欠であるけれども上記のようにりん棒が転がりやすいために、りん棒の置き場に困っていた。
りん棒を保持するりん棒台なるものは、昔からあるが、場所をとるために、十分なスペースが必要であり、また、コスト高の原因にもなる。
簡便に、図７に示すように、りん棒４をりん本体１０１の内部に先端を下にして、入れておけばよいが、なんとも不恰好で、礼節を重んじる祭壇などに置かれることがおおい、りんに対して、不適切な方法として、通常は避けられている。
また、りん棒４を図８に示すように、りん本体１０１の上面端部１０２に置くと矢印で示すように転がり落ちてしまう。
【０００３】
特許文献１に専用のりん台にりん棒置きを設けた例を開示するが構造が複雑であった。
【先行技術文献】
【特許文献】
【０００４】
【特許文献１】特開平７−２５０７５３号公報
【考案の開示】
【考案が解決しようとする課題】
【０００５】
本考案は、場所をさほど必要とせず、感じよく、安定して、りん棒を載置できるりんの提供を目的とする。
【課題を解決するための手段】
【０００６】
本考案に係るりんは、上方に向けた開口部を有する略椀状のりん本体の前記開口部の周縁の上面端部に、りん棒を横方向に載置できるくぼみを有することを特徴とする。
このようにくぼみがあることで、りん本体の上面端部の上にりん棒をほぼ水平にして、安定設置することができる。
つまり、りん本体の上面端部にりん棒が安定設置できるくぼみなどを有するりん棒の設置機構を備えることで従来の問題の解決をはかった。
くぼみの大きさは、りん棒の大きさにもよるが前記くぼみの深さＤをりん本体の外側底部から上面端部までの高さＨに対して、２％〜２０％の範囲に設定し、前記くぼみの幅Ｗを０．５×Ｄ≦Ｗ≦２×Ｄの範囲に設定するのが好ましく、更には載置したりん棒の両側にくぼみが位置するように前記くぼみを複数配置するのが好ましい。
なお、くぼみの深さＤは深くすることでりん棒をくぼみに載置した際にくぼみに、このりん棒が収納された状態になり、りんの持ち運びによく、その場合にはＤ＝５％〜２０％の範囲が好ましく、逆に、りん棒の転がりを防止し載置安定性を重視する場合には２％〜１０％の範囲が好ましい。
【考案の効果】
【０００７】
本考案によれば、りん本体の上面端部にくぼみがあることで、棒状のりん棒が転がることなく、くぼみで、りん棒が落としこまれ、安定するため、上面端部にりん棒を安定設置して置ける効果が得られる。
【０００８】
また、りん本体をりん棒で打鈴し、鳴らしたあと、りん本体の上面端部にりん棒を置くことで、りん本体の振動を止めて、鳴りを鎮める効果を発揮する。
【０００９】
ここで、上面端部とは、上方に向けて開口した略椀状のりん本体の周縁部の上面に位置する端部で、平面視では通常、概略円形状を示す部分である。
くぼみとは、りん本体を側面からみた場合に、下方方向に凹部をなす、上面端部のくぼみをいう。
【００１０】
もちろん、本考案のりんは、必ずしも転がりやすい一般の棒状のりん棒で叩く必要はない。
転がりにくいりん棒で、音を出しても、なんらかまわない。
一般に普及している棒状のりん棒に対応していることが本考案の特徴である。
【００１１】
本考案は上面端部にくぼみを有するりんにすることで、結果として、思わぬ効果があることが判明した。
音色がその形状や配置場所によって変化することが明らかになった。
つまり、くぼみの形状や大きさや配置を工夫することで、音色を変化させることが可能となった。
特に高音域に対して、極端な違いを見出せるために、涼やかな好みの音（振動モードが適度に増えた音）を得ることができるようになった。
また、りんの音の複数あるモードのうち、一番低いほうから１次モード、次に高いモードを２次モードとした場合に、その親和性（和音的要素である位置関係）を向上させる手段として、非常に簡便な方法として、利用価値が高いことが、判明した。
【図面の簡単な説明】
【００１２】
【図１】本考案に係るりんの斜視図を示す。
【図２】本考案に係るりんの側面図を示す。
【図３】りん棒をりんに載置した状態を示す。
【図４】くぼみを４ヶ所に設けた例を示す。
【図５】花状にデザイン化したりんの例を示す。
【図６】くぼみ形状例を示す。
【図７】従来のりんを示す。
【図８】りん棒の転がりを示す。
【考案を実施するための最良の形態】
【００１３】
本考案のりんの具体的形態について、以下図面に基づいて説明するが、本実施例に限定されるものではない。
【実施例１】
【００１４】
図１に示すように本考案に係るりんは、上方に向けて開口した略椀状のりん本体１の周縁部の上面端部２に、くぼみ３を有する。
図１に示した実施例ではくぼみ３を２ヶ所に設けたが、くぼみは１以上複数あればよい。
できれば２以上複数が好ましい。
特に限定はないが、複数あるほど、多くの位置で、りん棒を棒状方向に水平安定に置けるため、便利である。
りん棒の両端を互いに図３に示すように２つのくぼみ３ａ、３ｂで安定保持するのが好ましい。
もちろん上面端部２が波のように、多数のくぼみ３が連続して連なっていてもよい。
【実施例２】
【００１５】
図４はくぼみが、４箇所ある例である。
本実施例では、くぼみ３ａ〜３ｄの配置方法として、くぼみ３ａと３ｄ，３ｂと３ｃを対向配置するとともに、例えば３ａと３ｃとでりん本体の中心を通るようにりん棒を載置できるようにした。
図３のように、必ずりん本体１の中心部でりん棒４を保持する必要はない。
都合よい、くぼみ３ａ〜３ｄにりん棒を落とし込んで、安定させればよい。
【００１６】
くぼみ３は、半円状であっても、角ばった形状であってもよい。
要は、そのくぼみ３により、りん棒が転がり落ちるのを防ぐ効果があればよい。
図６の（ａ）〜（ｅ）のような、さまざまなくぼみ３ｅ〜３ｉをりんの意匠と合せて、選択すればよい。
【実施例３】
【００１７】
くぼみ３があることで、意匠的な広がりも見出せる。
例えば、図５のように、りん本体１を花模様として、花びらをかたどり、花びら一枚一枚との重なった隙間をくぼみ３として、安定設置する構造としてもよい。
【００１８】
本考案におけるくぼみは上記のように、りん棒４を横方向に安定載置できれば特に制限がないが、好ましい構造を図２にて説明する。
りん本体１の外側の底部１ｂから上方に開口部１ａを有する周縁部の上面端部２までの高さ寸法をＨとし、くぼみ３の深さ寸法をＤ、幅寸法をＷと表記するとＤはＨの２％〜２０％の範囲、Ｗは０．５×Ｄ≦Ｗ≦２×Ｄの範囲に設定するのが好ましい。
また、図７（ｅ）に示すような凸部の間にくぼみ３ｉを形成した場合には、凸部からの深さをいう。
このようにくぼみの深さＤ、幅Ｗをりん本体の高さに合せて設定したのは、りん本体の大きさにより一般的にりん棒の太さ、長さが変わるからである。
例えば高さ約５ｃｍの小型のりんにあっては、りん棒も小さいのでＤ＝１ｍｍ〜５ｍｍに対してやや幅の広いＷ＝３ｍｍ〜１０ｍｍでよい。
また、くぼみの目的をりん棒の転がり防止に重点を置く場合はＤをＨに対して２％〜１０％の範囲がよく、りんを移動させる際の収納機能に重点を置く場合には５％〜２０％の範囲が好ましい。
【符号の説明】
【００１９】
１        りん本体
１ａ      開口部
２        上面端部
３        くぼみ
４        りん棒
【図１】
0003165017.tif 000003
【図２】
0003165017.tif 000004
【図３】
0003165017.tif 000005
【図４】
0003165017.tif 000006
【図５】
0003165017.tif 000007
【図６】
0003165017.tif 000008
【図７】
0003165017.tif 000009
【図８】
0003165017.tif 000010